(57)【要約】【課題】非接触ＩＣタグを幼稚園の園児や小学校の児童に所持させ、通学情報を収集し、必要とする側に前記収集結果を配信するシステムを提供することを目的とする。【解決手段】前記課題の目的を達成するために、送迎対象者に所持されアンテナを有する非接触ＩＣタグと、送迎バスに搭載され送受信手段を有するゲート装置と、送迎バスの停留所に設置され送受信手段を有する停留所装置と、送受信手段を有し通学情報を収集する通学情報収集装置を有し、非接触ＩＣタグは、送迎対象者のＩＤコードを記録し、ゲート装置は、停車した停留所の停留所装置から停留所コードを読取り、非接触ＩＣタグから送迎対象者のＩＤコードを読取って読取った時間情報と共に、ゲート装置の記録部に記録し、通学情報収集装置は、送受信手段によって、ゲート装置に記録された送迎対象者のＩＤコードと、停留所コードと、読取った時間情報を通学情報として収集する。【選択図】  図１
2005174177.tif 000002
【特許請求の範囲】
【請求項１】
送迎対象者に所持されアンテナを有する非接触ＩＣタグと、送迎バスに搭載され送受信手段を有するゲート装置と、送迎バスの停留所に設置され送受信手段を有する停留所装置と、送受信手段を有し通学情報を収集する通学情報収集装置を有し、
非接触ＩＣタグは、送迎対象者のＩＤコードを記録し、
ゲート装置は、停車した停留所の停留所装置から停留所コードを読取り、非接触ＩＣタグから送迎対象者のＩＤコードを読取って、読取った時間情報と共に、ゲート装置の記録部に記録し、
通学情報収集装置は、送受信手段によって、ゲート装置に記録された送迎対象者のＩＤコードと、停留所コードと、読取った時間情報を通学情報として収集することを特徴とする通学情報収集システム。
【請求項２】
請求項１に記載の通学情報収集システムにおいて、通学情報収集装置は、保護者装置からの問い合わせに対して、収集した通学情報をもとに、回答情報を送信することを更に備えたことを特徴とする、請求項1に記載の通学情報収集システム。
【請求項３】
前記時間情報には、日付情報が含まれることを特徴とする、請求項1に記載の通学情報収集システム。
【発明の詳細な説明】
【技術分野】
【０００１】
本発明は、幼稚園の園児や小学校の児童の通学状況を把握する為に、通学情報を収集し必要とする者に前記収集結果を配信するシステムに関する。
【背景技術】
【０００２】
近年、通学途中で園児や、児童が行方不明になる事件が多発している。
その為に園児や、児童を送迎バスで送り迎えする施設が多くなってきた。
しかし、例えば、幼稚園から自宅前まで、間違いなく送迎したというデータを残すシステムが無かった。
【０００３】
一方、非接触ＩＣタグを物品の所在確認用として使用する技術が開示されている（例えば、特許文献１参照）。
【０００４】
【特許文献１】特開２００２−２１６０８６号公報
【発明の開示】
【発明が解決しようとする課題】
【０００５】
そこで、本発明は、非接触ＩＣタグを幼稚園の園児や小学校の児童に所持させ、通学情報を収集し、必要とする者に前記収集結果を配信するシステムを提供することを目的とする。
【課題を解決するための手段】
【０００６】
前記課題の目的を達成するために、本発明の通学情報収集システムの請求項１の発明は、送迎対象者に所持されアンテナを有する非接触ＩＣタグと、送迎バスに搭載され送受信手段を有するゲート装置と、送迎バスの停留所に設置され送受信手段を有する停留所装置と、送受信手段を有し通学情報を収集する通学情報収集装置を有し、非接触ＩＣタグは、送迎対象者のＩＤコードを記録し、ゲート装置は、停車した停留所の停留所装置から停留所コードを読取り、非接触ＩＣタグから送迎対象者のＩＤコードを読取って読取った時間情報と共に、ゲート装置の記録部に記録し、通学情報収集装置は、送受信手段によって、ゲート装置に記録された送迎対象者のＩＤコードと、停留所コードと、読取った時間情報を通学情報として収集することを特徴とするものである。
【０００７】
また、請求項２に記載の発明は、請求項１に記載の通学情報収集システムにおいて、通学情報収集装置は、保護者装置からの問い合わせに対して、収集した通学情報をもとに、回答情報を送信することを更に備えたことを特徴とするものである。
【０００８】
また、請求項３に記載の発明は、請求項1に記載の発明において、時間情報には、日付情報が含まれることを特徴とするものである。
【発明の効果】
【０００９】
１）請求項１に記載のように、送迎対象者に所持されアンテナを有する非接触ＩＣタグと、送迎バスに搭載され送受信手段を有するゲート装置と、送迎バスの停留所に設置され送受信手段を有する停留所装置と、送受信手段を有し通学情報を収集する通学情報収集装置を有し、非接触ＩＣタグは、送迎対象者のＩＤコードを記録し、ゲート装置は、停車した停留所の停留所装置から停留所コードを読取り、非接触ＩＣタグから送迎対象者のＩＤコードを読取って読取った時間情報と共に、ゲート装置の記録部に記録し、通学情報収集装置は、送受信手段によって、ゲート装置に記録された送迎対象者のＩＤコードと、停留所コードと、読取った時間情報を通学情報として収集することによって、送迎対象者に難しい作業を強いることなく情報を収集することができる。
また、通学途中の拠点別状況が記録されている為に通学途中のトラブルに対する責任の所在が瞬時に判明する。
２）また、請求項２に記載ののように、請求項１に記載の通学情報収集システムにおいて、通学情報収集装置は、保護者装置からの問い合わせに対して、収集した通学情報をもとに、回答情報を送信することを更に備えたことによって、問い合わせに対して複数の回答パターンを用意することができ、機械的に、しかし、丁寧な回答を送信することができる。また、保護者は、例えば携帯通信端末から子供の通学状況を把握することができる。
３）また、請求項３に記載のように、請求項1に記載の発明において、時間情報には、日付情報が含まれることによって、何時の情報なのかを明確にすることができる。
【発明を実施するための最良の形態】
【００１０】
以下図面を参照して、本発明の好適な一実施形態である通学情報収集システムについて説明する。
図１は、本発明の一実施の形態である通学情報収集システムについて説明するための図，図２は，収集され、保管された通学情報の一例について説明するための図，図３は、本発明の一実施の形態である通学情報収集システムの処理手順を示すフロー図である。
【００１１】
図１を参照して、本発明の一実施の形態である通学情報収集システムについて説明する。
本発明の通学情報収集システムは、少なくとも、送迎対象者１００に所持されアンテナを有する非接触ＩＣタグ１，送迎バスに搭載され送受信手段を有するゲート装置２，送迎バスの停留所に設置され、送受信手段を有する停留所装置３，送受信手段を有し通学情報を収集する通学情報収集装置４，保育園などの施設４０，送迎対象者１００の保護者１０によって実行される。
【００１２】
非接触ＩＣタグ１は、送迎対象者のＩＤコードを記録し、送迎対象者１００に所持される。
非接触ＩＣタグ１には、前述のゲート装置２から無線で送信された読出し信号をアンテナで受信し、非接触ＩＣタグ１のＩＣチップに記録されたＩＤコードを読み出してゲート装置２に送信する。
非接触ＩＣタグ１は、図示しないが、カード状基体に平面コイル状のアンテナが形成され、アンテナの両端にはＩＣチップが接続されている。ＩＣチップとしては、例えば、電気的に消去可能なＥＥＰＲＯＭや、紫外線で消去可能なＥＰＲＯＭを使用する。
前記、ＥＥＰＲＯＭ，ＥＰＲＯＭのメモリの一部エリアは、プログラムエリアとして使用する。
【００１３】
アンテナ部分は、カード状基体の周囲に金属箔の細線を張り巡らしたものや、導電性インキで印刷されたものなどがあって、ループの径が大きくなるほど、また、巻き線数が多くなるほど受信感度が向上する。
通常ゲート装置２の前に、非接触ＩＣタグ１を手で翳すことによってＩＣチップに書込まれた情報が読取られるが、幼い児童の場合は、前記手で翳すことが難しい為に非接触ＩＣタグ１を首から紐で吊り下げて通過したり、胸の部分に縫い付け、固定して通過したり、かばんを背負っている場合は、かばんに吊り下げて通過する。
その為、アンテナの感度は可能な限り高めに設定される。
【００１４】
ゲート装置２は、送迎バスの出入り口にアンテナを取り付けて非接触ＩＣタグ１に記録された情報を読取る。
また、送迎バスの上部には停留所装置３から停留所コードを読取るための停留所コード読取りアンテナ（図示せず）を備えている。
送迎バスが停留所の停留所装置に近づくと、ゲート装置２は、前記停留所コード読取りアンテナから停留所コード読出し信号を停留所装置に向けて送信する。
停留所装置３は、停留所コード読出し信号を受信して、ゲート装置２に停留所コードを送信する。
停留所コードは停留所固有のコードで、停車する停留所毎に異なる。
【００１５】
停留所装置３は、電源部を備え、ゲート装置２からの読出し信号を受信して停留所コードを送信する送受信装置であっても、「停留所コードが記録された非接触ＩＣタグ」であってもよい。
前記「停留所コードが記録された非接触ＩＣタグ」の場合は、送迎バス専用標識，掲示板，電柱の張り紙などに「大き目のアンテナを有する非接触ＩＣタグ」を貼付して使用する。
【００１６】
停留所で待っていた送迎対象者１００は、送迎バスの入口からゲートをくぐってバスに乗車する。その時に、ゲート装置２は、送迎対象者１００が所持している非接触ＩＣタグ１のＩＤコードを読取る。
ゲート装置２は、停留所コードのあとに、停留所から乗車した非接触ＩＣカードのＩＤコードを関連付け、時間情報を添付して記録する。
【００１７】
同一の停留所で複数のＩＤコードが読取られる場合もあり、前記時間情報は、送迎バスが、停留所を出発した時間を記録する。
【００１８】
送迎バスは、複数の停留所に停車し、停留所で乗車した送迎対象者１００のＩＤコードを停留所コード、時間情報と共にゲート装置２の記録部に共通情報として記録する。
【００１９】
ゲート装置２の記録部に記録された停留所コード，送迎対象者１００のＩＤコード，時間情報は、停留所を出発直後、または通学情報収集装置の随時の読出しに応じて通学情報収集装置４に送信される。
【００２０】
前述の通学情報は、保育園，幼稚園，小学校などの施設４０に行く場合の情報であるが、施設から出て帰宅する通学情報も同様な方法で収集される。
通学情報収集装置４は、施設に設置されても良いし、施設と契約した管理会社に設置されても良い。
【００２１】
通学情報収集装置４は、携帯電話や、携帯用通信端末などの保護者装置１０から、通学情報の問い合わせがあった場合は、それまでに通学情報収集装置４に保管されている通学情報を所定のメッセージを添付して回答情報として送信する。
所定のメッセージとして、例えば、幼稚園に無事到着して、帰りのバスに乗車する前であれば、「貴方のお子さまは、ただいま園内で元気に遊んでおられます」や、帰りのバスに乗って出発後であれば、「帰りのバスの中にいらっしゃいますので、まもなく到着するものと思われます」などが用意されている。
【００２２】
図２を参照して、通学情報収集装置によって収集されたＩＤコード別通学情報について説明する。
通学情報収集装置によって収集された通学情報５は、通学情報記録ファイル５に記録される。
通学情報記録ファイル５には、「非接触ＩＣタグコード情報」５１、「日付情報」５２，「ゲート装置コード＋停留所コード＋時間情報」５３〜５４，「保護者装置コード＋時間情報」５５〜５７が記録され、保管されている。
非接触ＩＣタグコード情報記録欄５１には、送迎対象者のＩＤコードＡが記録されている。ＩＤコードは、乱数などによって生成された所定の桁数の数字が割り当てられる。ＩＤコードの桁数は、施設などに通う子供の人数によって決められる。
図示しないが、別ファイルで保護者装置のメールアドレスがＩＤコードにリンクされて保管されている。
【００２３】
通学情報記録欄５２には、日付情報Ｂが記録されている。
最初の通学情報記録欄５３には、「ゲート装置コードａ＋停留所コードｃ＋時間情報１」と記録され、ＩＤコード「Ａ」の送迎対象者が、日付「Ｂ」に、自宅近くの停留所「ｃ」から、送迎バス「ａ」に乗車して、時間「１」で、施設に向かったということが記録されている。
また、次の通学情報記録欄５４には、「ゲート装置コードｂ＋停留所コードｄ＋時間情報２」と記録され、上記同一のＩＤコードを有する送迎対象者Ａが、同じ日に送迎バス「ｂ」に乗車して、時間「２」に、自宅近くの停留所「ｄ」で送迎バスを降りたということが記録されている。
更に、通学情報記録欄５５には、「保護者装置コードｅ＋時間情報３」と記録され、ＩＤコード「Ａ」の保護者のメールアドレスコード「ｅ」に対し、時間「３」に、通学情報を送信したことが記録されている。
また、通学情報記録欄５６，５７には、通学情報記録欄５５と同様の内容の情報が記録されている。
保護者によっては、行き帰りの通学情報を聞いてくる場合や、この欄を通信欄に使用する場合があり、その都度、時間「３」，「４」，「５」が付記されて記録されている。
図２の通学情報記録ファイル５には、施設に到着した情報，出発した情報が記録されていないが、施設の出入り口に読取り装置を設置して記録に残しても良い。
【００２４】
図３を参照して、本発明の一実施の形態である通学情報収集システムの処理手順について説明する。
施設、または施設と契約した管理会社は、設置された通学情報収集装置４を起動する（ステップ１；以下Ｓ１）。通学情報収集装置４が２４時間稼動している場合は、この手順は省略される。
送迎バスは、ゲート装置２を起動し、格納されている車庫から出発する（Ｓ２）。
送迎バスは、定められたコースを走り、最初の停留所装置の前に停車し、停留所コード読取りアンテナを介して停留所コードを読取り、ゲート装置に停留所コードを記録する（Ｓ３）。
送迎バスのドアを開け、送迎対象者を乗車させる。
ゲート装置２は、送迎対象者が乗車する際に送迎対象者が所持する非接触ＩＣタグから送迎対象者のＩＤコード（非接触ＩＣタグコード）を読み取り、時間情報を添付して記録部に記録する（Ｓ３）。
ゲート装置２は、読取った通学情報を通学情報収集装置４に送信する（Ｓ４）。
通学情報収集装置４は、通学情報を受信（Ｓ５）し、日付情報を添付して通学情報記録ファイルに記録し、保管する（Ｓ６）。
帰宅の場合は、Ｓ２に戻って帰宅情報を記録し、日付情報を添付して通学情報記録ファイルに記録し、保管する。
保護者装置１０は、子供の所在を確認したい場合は、保護者装置１０の表示画面と操作部によって通学情報収集装置のアドレスにアクセスし、画面に表示された通信欄の入力枠に子供のＩＤコードを入力して所在確認を行う（Ｓ７）。
通学情報収集装置４は、入力されたＩＤコードを検索し、通学情報を保護者装置１０に送信し、保護者装置コードに時間情報を添付して記録し、保管する（Ｓ８）。
【産業上の利用可能性】
【００２５】
保育園、幼稚園の園児や、低学年の児童の通園，通学時の所在位置確認が可能になる。
【図面の簡単な説明】
【００２６】
【図１】本発明の一実施の形態である通学情報収集システムについて説明するための図である。
【図２】収集され保管された通学情報の一例について説明するための図である。
【図３】本発明の一実施の形態である通学情報収集システムの処理手順を示すフロー図である。
【符号の説明】
【００２７】
１      非接触ＩＣタグ
２      ゲート装置
３      停留所装置
４      通学情報収集装置
５      通学情報記録ファイル
１０    保護者装置
４０    施設
５１，５２，５３，５４，５５，５６，５７  通学情報記録欄
１００  送迎対象者
【図１】
2005174177.tif 000003
【図２】
2005174177.tif 000004
【図３】
2005174177.tif 000005